Podtech/llm-jp-corpus-v4-ja_patent huggingface dataset:
(57)【要約】【課題】ビビンバ料理など石鍋を使用する料理を電磁調理器を使って石鍋の側面も素早く加熱出来、手軽に楽しめる食器を提供することを課題とした。【解決手段】石鍋を包み込むように石鍋の外側をアルミニウムで鋳くるみ、石鍋に強度を持たせた後、食材への熱の伝導を良くするため、石鍋の厚みが５ミリ以下となるように内側より削る。この石鍋を電磁調理器で調理出来るようにアルミニウム鋳物の底部分に磁性体の溶射層を設けることで課題を解決した。【選択図】図１
2006247202.tif 000002
【特許請求の範囲】
【請求項１】
電磁調理器で加熱する石鍋において、石鍋の側面および底面をアルミニウムで鋳くるみ、その後石鍋を内面から削り５ミリ以下の厚みとし、アルミ鋳物の底部分に磁性体を溶射した事を特徴とする電磁調理器用石鍋の製造方法と製品。
【発明の詳細な説明】
【技術分野】
【０００１】
本発明は、電磁調理器で急速に加熱出来るように工夫したビビンバ用石鍋に関するものである。
【背景技術】
【０００２】
従来のビビンバ用石鍋は、分厚い石鍋をガスの強火で１０分以上加熱して石に熱を蓄え、蓄えられた熱を利用して食材を加熱しながら食べられるようにした食器であった。熱伝導の悪い石に熱を蓄えるため、加熱に時間がかかり外食産業では客への対応に手間取り、お客を待たせることが問題であった。また、厨房ではガスの強火が厨房内に籠もるため作業環境が悪くなる問題もあった。更に最近の電化された厨房ではガスが使用出来ないため、電気で加熱する必要に迫られて来た。
【発明の開示】
【発明が解決しようとする課題】
【０００３】
解決しようとする問題点は、電気で短時間に、必要な熱量を蓄えられるビビンバ用石鍋を開発することを課題とした。
【課題を解決するための手段】
【０００４】
本発明は、石鍋に熱を蓄え易くするため、熱伝導の良いアルミニウムで石鍋の底面と側面を包み込む。次に電磁調理器で加熱出来るように、アルミニウムの底部に鉄を固着させ、短時間で石鍋を加熱出来るようにした。更にアルミニウムに蓄えられた熱を適度の早さで食材に伝えるように石鍋の厚さを１〜５ミリにした。石鍋本体を１〜５ミリに薄く加工することは困難で手間の掛かる作業であったが、アルミニウムで鋳包まれた後に石鍋の内側を削って１〜５ミリと薄くすることで石鍋が破損する心配もなく、素早く加工することが出来るようになった。
【発明の効果】
【０００５】
ビビンバ料理の特徴は加熱された石鍋の内側に食材を押しつけ、食材を少し焦がしながら食べるものなので、石鍋の側面が適度の高温に保たれている必要がある。そのため、単に石鍋の底部分を電熱器などで加熱したり、電磁調理器対応のため底に平らなカーボン板を貼り付けただけでは、石鍋の側面は加熱されないので、本来のビビンバ料理には使えない。
【０００６】
本発明は、急速に加熱するため電磁調理器を用いるが、電磁調理器では底面しか発熱しない。しかし、アルミニウムの熱伝導の良い点を利用して、底面の熱を石鍋の側面全体に伝えられるようにしたので、電磁調理器でビビンバ料理を楽しむことが出来るようになった。また、食材の入る石鍋内側は石のままなので違和感もない。更に、電磁調理器は２ＫＷや３ＫＷ、また５ＫＷのものも使用出来るので、ガスで加熱するよりも早く、２〜３分で加熱が完了することが出来るようになった。また、ガスで加熱する場合、ガスの熱で厨房内の温度が上がり作業環境が悪かったが、電磁調理器では鍋だけが加熱されるので、室温の上昇も小さく、作業上や省エネルギー面でも役立つものとなった
【発明を実施するための最良の形態】
【０００７】
石鍋の外壁を包み込む形状にアルミニウムで鋳くるみ、その後石鍋の内面より石を削って５ミリ以下の厚みとする。アルミニウムは蓄熱量を充分確保し、かつ、食材が焦げる温度が必要であるので、石鍋の直径により加減してアルミニウムの総重量を決定する。また、底面は電磁調理器のコイルの寸法との関係から広いほうが良いので、石鍋の直径程度が望ましい。また、底面に電磁調理器で発熱するように、鉄を０．８ミリ程度溶射する。更に、磁力線を充分受けられるようにするため、側面も２０〜３０ミリの高さまで鉄を溶射しておく。また、アルミニウムに鉄の代わりにカーボンの板を接着剤で固着させても良い。
この発熱体で発熱した熱が電磁調理器に伝わるのを防ぐため底面にカーボン製の高さ１〜３ミリの突起を３カ所以上接着剤で貼り付ける。
【実施例】
【０００８】
図１は、本発明の１実施例の断面図であって、石鍋（１）の周囲をアルミニウムで鋳くるみ、このアルミニウム鋳物（２）の底に電磁調理器に反応させるための磁性体の溶射層（３）を設ける。石鍋（１）はアルミニウムで鋳くるんだ後５ミリ以下の厚さまで削って薄くする。（４）は発熱体の熱が電磁調理器に伝わるのを防ぐため底に貼り付けたカーボン製の突起である。
【産業上の利用可能性】
【０００９】
オール電化厨房が家庭のみならず、外食産業でも増加しており、ガス設備のない厨房では本発明のビビンバ用石鍋が要求されている。高層ビルや地下街ではガスの使用が禁止されている所も多く、電磁調理器で加熱出来るビビンバ用石鍋は大きな需要が見込まれる。
【図面の簡単な説明】
【００１０】
【図１】本発明の石鍋の断面図である。
【符号の説明】
【００１１】
１  石鍋
２  アルミニウムミ鋳物
３  磁性体の溶射層
４．カーボン製の突起
【図１】
2006247202.tif 000003
(57)【要約】【課題】  本発明は理美容で施術を行う時、クロスの首当てに使う物である。通常はフェイスタオルを使用するが、施術をするのに首周りにトラブルが生じやすくなる為、全てのトラブルを無くす為、首に巻く布を提供する。【解決手段】  首当てに使用する布の裏面は伸縮性の有るタオル生地にする。表面と返しの部分は目の細かい伸縮性の有る綿生地にする。首当ての大きさを幅５センチメートル長さは首周りの平均値よりも長めにする。首当ての表面と裏面にストッパーを設ける。【選択図】  図  １
2006247300.tif 000002
【特許請求の範囲】
【請求項１】
首当てに使用する帯体は伸縮性のある綿生地とタオル生地で構成し、ストッパーを付ける事により密着性に優れた首当て。
【請求項２】
帯体の裏面はタオル生地、表面から返しの部分まで綿生地で構成する請求項１の密着性に優れた首当て。
【請求項３】
帯体の合わせのストッパーにはマジックテープを設けた請求項１の密着性に優れた首当て。
【発明の詳細な説明】
【技術分野】
【０００１】  本発明は、理美容で施術の時、使用するクロスの首当てに使う伸縮性のある布に関するものである。
【背景技術】
【０００２】  従来、理美容で施術の時、クロスの首当ては通常のフェイスタオルを首に巻きつけて使用している。
【発明の開示】
【発明が解決しようとする課題】
【０００３】  フェイスタオルをクロスの首当てに使うと、次のような問題点があった。
フェイスタオルがクロスの内側でかさばりクロスがもこもこしてしまう事と、フェイスタオルの合わせの部分が緩みカットした細かい毛が中に入ってしまう。タオルに細かい毛がくっ付いてしまって毛が取れにくくなってしまう。
本発明は、これらの問題点を解決するためになされたものである。
【課題を解決する為の手段】
【０００４】  首当てに使用する布の裏面は伸縮性のあるタオル地にする。表面と返しの部分は目の細かい伸縮性のある綿生地にする。首当ての大きさを幅５センチメートル長さは首周りの平均値より長めにする。首当ての表面と裏面にストッパーを設ける。
本発明は、以上の構成からなる簡単で密着性のある首当てである。
【発明の効果】
【０００５】  本発明を使用する事により密着性が高い分、細かい毛が首の間から入らなくなる事、最小限の大きさにする事により首周りかもたつく事無くスッキリとする。
【発明を実施するための最良の形態】
【０００６】  以下、本発明の実施の形態を説明する。
（イ）密着性を高める為に綿とタオル生地からなる伸縮性のある帯体裏面（１）と帯体表面（２）に、合わせのストッパー（６）を設ける。
（ロ）帯体裏面（１）のところにタオル生地（３）、帯体表面（２）のところに綿生地（４）を使用する、帯体裏面（１）の折り返し部分（５）のところも綿生地にする。
（ハ）帯体裏面（１）と帯体表面（２）の合わせ部分ストッパー（６）にマジックテープを設けることにより更なる密着性を高める。
本発明は以上の構成からなる。
本発明を使用するときは密着性が高い本発明なのでストッパー（６）の閉め具合を微調整する。
【図面の簡単な説明】
【０００７】
【図１】  本発明の斜視図
【図２】  本発明の裏面
【図３】  本発明の表面
【符号の説明】
【０００８】（１）帯体裏面、（２）帯体表面、（３）タオル生地、（４）綿生地、（５）折り返し部分  （６）ストッパー（マジックテープ）
【図１】
2006247300.tif 000003
【図２】
2006247300.tif 000004
【図３】
2006247300.tif 000005
(57)【要約】【課題】  衣類を掛けるハンガーに関し、衣服の首開口部を伸ばすことなく衣服を掛けはずしができる、可動式アームハンガーを提供する。【解決手段】  中空筒部と固定アームを一体化して、への字状に形成し、中空筒部に可動自在なアームを設ける。この可動アームを可動させることにより、衣服を掛けはずすことを特徴とする可動式アームハンガー。【選択図】  図１
2006247299.tif 000002
【特許請求の範囲】
【請求項１】
中空筒部と固定アームを一体化してへの字状に形成し、頂部に設けられた開口部より中空筒部に挿入して可動自在となる可動アームを設け、衣服を掛けはずしすることを特徴とする可動式アームハンガー。
【発明の詳細な説明】
【技術分野】
【０００１】  本発明は、衣類を掛けるハンガーに関し、衣服の首開口部を伸ばすことなく衣服を掛けはずすことができる、可動式アームハンガーに関するものである。
【背景技術】
【０００２】  従来、衣類をハンガーに掛ける場合、首開口部が狭いＴシャツやセーター等の衣服は、首開口部を伸ばしてハンガー本体を衣服の中に挿入したり、服の下部からハンガーを入れて首開口部からハンガーのフックを出していた。
【発明の開示】
【発明が解決しようとする課題】
【０００３】  そのために、次のような問題点があった。
（イ）首開口部から強引にハンガー本体を挿入したり取り出す場合、首開口部が伸びてしまった。
（ロ）衣服の下部からハンガーを出し入れする場合、手間がかかった。
本発明は、以上の問題点を解決しようとするものである。
【課題を解決するための手段】
【０００４】  中空筒部と固定アームを一体化してへの字状に形成する。そして、への字状の頂部に設けられた開口部より可動自在となる可動アームを挿入し、この可動アームを可動させることにより衣服を掛けはずしする。以上を特徴とする可動式アームハンガーである。
【発明の効果】
【０００５】  本発明は、衣服の首開口部が伸びてしまうことがなく、衣服をハンガーに掛けはずすことができる。また、衣服の下部からハンガー本体を出し入れすることがないので、家事の効率をあげることができる。
【発明を実施するための最良の形態】
【０００６】以下、本発明の実施の形態を説明する。
（イ）中空筒部（１）と固定アーム（２）を一体化してへの字状に形成される。
（ロ）固定アーム（２）の頂部にフック（３）を設ける。
（ハ）フック（３）の根元部より中空筒部（１）に開口部（４）を設ける。
（ニ）可動アーム（５）を開口部（４）より中空筒部（１）に可動自在に挿入する。
（ホ）可動アーム（５）の後端は、中空筒部（１）の内径より太くし、指かけ用の穴（８）、またはフックを設ける。
（ヘ）可動アーム（５）の先端は、中空筒部（１）の内径よりやや太くするか、もしくは引っ掛かり部（６）を設ける。
本発明は、以上の構成よりなっている。
本発明を使用するときは、可動アーム（５）の把手（７）を引いておき、固定アーム（２）を衣服の首開口部から差し込み、可動アーム（５）の把手（７）を押圧して首開口部から差し込むことにより、ハンガー型を維持する。
使用後は、可動アーム（５）の把手（７）を引くと、アームに掛かっていた衣服の部分が少なくなるため、ハンガーからはずれる。
また、図５に示すように、片手で複数のハンガーのフック（３）等を持ちながら、それらの可動アーム（５）の穴（８）にまとめていっしょに指を入れて引くと、複数の衣服を同時にはずすことができる。
【図面の簡単な説明】
【０００７】
【図１】本発明の斜視図
【図２】本発明の分解斜視図
【図３】本発明において、把手を引いた状態図
【図４】本発明の断面図
【図５】本発明において、複数のハンガーを同時に使用した状態図
【符号の説明】
【０００８】１    中空筒部
２    固定アーム
３    フック
４    開口部
５    可動アーム
６    引っ掛かり部
７    把手
８    穴
【図１】
2006247299.tif 000003
【図２】
2006247299.tif 000004
【図３】
2006247299.tif 000005
【図４】
2006247299.tif 000006
【図５】
2006247299.tif 000007
(57)【要約】【課題】浴槽の側部および後背部のフランジ部を入浴補助具の取り付けスペースとして活用するとともに、この浴槽の側部および後背部と浴室壁との間に形成される縁枠をカウンターとして有効活用する。【解決手段】浴槽主体の外壁上部の側部と後背部を囲むように縁枠を形成し、該縁枠から浴槽主体のフランジ部を立ち上がり状態で形成する。【選択図】  図１
2006247190.tif 000002
【特許請求の範囲】
【請求項１】
浴槽主体の外壁上部の側部と後背部を囲むように縁枠を形成し、該縁枠から浴槽主体のフランジ部が立ち上がり状態で形成されていることを特徴とする浴槽ユニット。
【請求項２】
フランジ部の全周の肉厚を一定にしたことを特徴とする請求項１記載の浴槽ユニット。
【請求項３】
縁枠とエプロンが一体に形成されていることを特徴とする請求項１記載の浴槽ユニット。
【発明の詳細な説明】
【技術分野】
【０００１】
本発明は、機能性とともに入浴の快適性を向上するようにした浴槽ユニットに関するものである。
【背景技術】
【０００２】
一般にユニットバスなどに配設される浴槽（バスタブ）は、平面形状が方形である場合、そのフランジ部の二辺または三辺が室内壁に接する状態で配設されている。このように配設された浴槽のフランジを利用して入浴補助具、例えば、回転座、手摺、寝台を設置して入浴の利便性を向上するようにしたものが提案されている（例えば、特許文献１）。
【０００３】
これは、図４に示すように浴槽１００のフランジ部１００ａに取付器具１０１を固定し、この取付器具１０１に、例えば、回転座１０２を取り付け、これに着座できるようにし、また、手摺を取り付けて入浴の補助となるようにする。ところが、このように構成された浴槽では補助具を入浴方向に配設しなければならないため、入浴時の邪魔となるものであった。
【０００４】
そこで、浴槽の側部または後背部をこのような入浴補助具の取付スペースとすることができれば、入浴時の邪魔とならず、また、スペースの有効活用となる。かかる要求に対応するための簡易な解決法として、図５に示すように浴室床面上に浴槽本体２００を直接配設し、側部および後背部のフランジ部を入浴補助具の取付スペースとすることが一応可能となる。
【０００５】
ところが、このような据え置き型の浴槽を配設した場合は、浴槽本体２００の側部と後背部が面する室内壁との間にデッドスペースが形成され、この部分が狭隘であることから十分な清掃を行うことができず、カビが発生して衛生状態を損ねる可能性がある。
【特許文献１】特開２００１−２５２３２８号公報
【発明の開示】
【発明が解決しようとする課題】
【０００６】
本発明は、かかる従来問題に鑑みなされたもので、浴槽の側部および後背部のフランジ部を入浴補助具の取付スペースとなるようにするとともに、この部分と浴室壁との間を封止状態となるようにしてカビなどの発生を防止し、機能性と入浴時の快適性を向上するようにしたものである。
【課題を解決するための手段】
【０００７】
そこで本発明は、以下に述べる各手段により上記課題を解決するようにした。即ち、請求項１記載の発明では、浴槽主体の外壁上部の側部と後背部を囲むように縁枠を形成し、該縁枠から浴槽主体のフランジ部が立ち上がり状態で形成されるようにする。
【０００８】
請求項２記載の発明では、上記請求項１記載の発明において、フランジ部の全周の肉厚が一定となるように形成する。
【０００９】
請求項３記載の発明では、上記請求項１記載の発明において、縁枠とエプロンが一体に形成されるようにする。
【発明の効果】
【００１０】
本発明によれば、浴槽の側部および後背部を完全に封止した状態でフランジ部を立ち上がり状態で形成したので、浴槽の裏面が水密状態となり、カビの発生を防ぐとともに浴槽の側部および後背部のフランジ部を入浴補助具の取付スペースとして有効に活用することができる。また、浴槽の側部および後背部と浴室壁との間に縁枠が形成されるので、この縁枠をカウンターとすることができ、スペースを有効に活用することができる。
【発明を実施するための最良の形態】
【００１１】
以下、本発明の実施の形態を図にもとづいて詳細に説明する。
【００１２】
図１は、本発明により完成した浴槽ユニットＡであり、浴槽主体１の側部および後背部のフランジ部２が縁枠３から立ち上がり状態となるように形成されている。前記縁枠３の前端から垂下するエプロン４は、この縁枠３と一体に成形、または別体のものを取り付けて一体化する。また、浴槽主体１、縁枠３、エプロン４を一体に成形することも可能であり、この場合、後述する重合部の水密処理が不要となる。
【００１３】
前記縁枠３は、図２に示すように浴室内の床面上に構築された躯体Ｂ上に配設され、縁枠３の開口３ａに浴槽主体１が嵌装され、この浴槽主体１はその底部が躯体Ｂで支持される。そして、浴槽主体１のフランジ部２の下端２ａが前記開口３ａの周壁３ｂと重なり合う状態となり、この重合部にコーキング剤などを塗布して水密処理を施す。
【００１４】
このように構成された本発明の浴槽ユニットＡによれば、図３に例示するように枕ユニット５やカウンターテーブル６などの入浴補助具をフランジ部２へ配設して入浴機能を向上したり、縁枠２に観葉植物７を配置して浴室内の美観を向上することができる。なお、フランジ部２の全周の肉厚が一定となるように形成することにより、入浴補助具をフランジ部２の何れの部位にも配設することが可能となる。
【００１５】
したがって、浴槽主体１のフランジ部２への入浴補助具の配設は、浴槽主体１の前面を避けることができ、フランジ部２の側部および後背部とすることができることから、入浴方向の邪魔となることがない。また、縁枠３が設けられたことから、浴槽主体１から溢れた浴湯はこの縁枠３で受けられ、エプロン４を介して浴室内の床面へ流下して排水処理される。
【００１６】
このように本発明の浴槽ユニットによれば、浴槽主体１の側部および後背部に形成したフランジ部２を利用して入浴機能を向上することができることから快適な入浴が可能となり、また、多様な浴室内装飾が可能となるなど本発明特有の効果を期待することができる。
【図面の簡単な説明】
【００１７】
【図１】本発明の浴槽ユニットの完成状態を示す斜視図である。
【図２】本発明の浴槽ユニットの縦断面図である。
【図３】本発明の浴槽ユニットを浴室へ配設した状態の斜視図である。
【図４】従来の例を示す斜視図である。
【図５】据え置き型の従来の浴槽を示す平面図である。
【符号の説明】
【００１８】
Ａ・・・・・・浴槽ユニット
Ｂ・・・・・・躯体
１・・・・・・浴槽主体
２・・・・・・フランジ部
３・・・・・・縁枠
４・・・・・・エプロン
５・・・・・・枕ユニット
６・・・・・・カウンターテーブル  
【図１】
2006247190.tif 000003
【図２】
2006247190.tif 000004
【図３】
2006247190.tif 000005
【図４】
2006247190.tif 000006
【図５】
2006247190.tif 000007
(57)【要約】【課題】寒冷地や一般地域の住宅に設置される床断熱等において、根太間又は床パネルの面材の裏面に断熱材を配置し、床の断熱効果を得るようにする場合が多い。従来、この断熱材を根太間或いは床パネルの面材の裏面に取付けるのに、断熱材の厚み相当高さの断面ハット形の固定金物を前記根太に被せ、その固定金物の下端から外側へ屈曲する受け片で断熱材を受け止めるようにしたものが提案されている。しかし、前記構成では、根太間隔が必ずしも所定の寸法どおりではないため、断熱材の寸法を少し小さめに切断し固定金具の上にのせるように収めているが、断熱材の幅と根太間に隙間が出来、施工中に風や振動により浮き上がり外れる事がある。【解決手段】横架材に断熱材を固定する金物であって、以下の構成としたものである。前記横架材に被さる下向き溝形の薄板からなる金具本体を設け、この金具本体の両側の立下り片を凸型に曲げ加工したもの又は突起をつけたものである。【選択図】図１
2006257850.tif 000002
【特許請求の範囲】
【請求項１】
横架材に断熱材を固定する金物であって、前記横架材に被さる下向き溝形の薄板からなる金具本体を設け、この金具本体の両側の立下り片に凸型にでた突起又は曲げ加工を施し、両側の立下り片の下端から外側へ屈曲した断熱材受け片を設けたことを特徴とする断熱材固定金物。
【発明の詳細な説明】
【産業上の利用分野】
【０００１】  本発明は、住宅やその他の建物の床、屋根、壁等に使用する断熱材固定金物に関する。
【背景技術】
【０００２】寒冷地や一般地域の住宅に設置される床断熱等において、根太間又は床パネルの面材の裏面に断熱材を配置し、床の断熱効果を得るようにする場合が多い。従来、この断熱材を根太間或いは床パネルの面材の裏面に取付けるのに、断熱材の厚み相当高さの断面ハット形の固定金物を前記根太に被せ、その固定金物の下端から外側へ屈曲する受け片で断熱材を受け止めるようにしたものが提案されている。
【発明が解決しようとする課題】
【０００３】  しかし、前記構成では、根太間隔が必ずしも所定の寸法どおりではないため、断熱材の寸法を少し小さめに切断し固定金具の上にのせるように収めているが、断熱材の幅と根太間に隙間が出来、施工中に風や振動により浮き上がり外れる事がある。この発明の目的は、施工中の浮き、脱落を防止する断熱材固定金物を提供することである。
【課題を解決するための手段】
【０００４】  この発明の請求項１記載の断熱材固定金物は、横架材に断熱材を固定する金物であって、以下の構成としたものである。前記横架材に被さる下向き溝形の薄板からなる金具本体を設け、この金具本体の両側の立下り片を凸型に曲げ加工したもの又は突起をつけたものである。突起は外向きの切起し爪でもよい立下り片には、下端から外側へ屈曲した断熱材受け片を設け、各断熱材受け片に上向きの切起し爪を設けてもよい。前記金具本体の上面板部には、下向きの切起し爪を設けてもよい。
【発明を実施するための最良の形態】
【０００５】  以下、図示の実施の停滞に基づき本発明を細説する。  本考案は、立下り片に凸型に曲げ加工した部分又は凸型につけた突起、又は外向きの切起し爪が断熱材を両側から押え、施工中の断熱材の浮き、脱落を防止するもので、図１、図２、図３がその実施例であり、図４はその取付け図である。【０００６】図１は、立下り片に凸型に曲げ加工したもので、凸型に曲げ加工した部分が断熱材を両側から押え、脱落を防止する。【０００７】図２は、立下り片に凸型に突起をつけたもので、凸型の突起部分が断熱材を両側から押え、脱落を防止する。【０００８】  図３は、立下り片に付けた外向きの切起し爪が断熱材を両側から押え、脱落を防止する。【０００９】  図４は、断熱材を根太間に取付けた図である。
【発明の効果】
【００１０】  本考案により、立下り片に凸型の突起部分が断熱材を両側から押え、脱落を防止することが可能となる。
【００１１】又、突起部分が断熱材を両側から押えることにより壁面での断熱材の固定が可能となり板状断熱材の壁面内での充填による使用範囲が広がる。
【図面の簡単な説明】
【００１２】
【図１】（Ａ）〜（Ｃ）はこの発明の曲げ加工を施した断熱材固定金物の斜視図、側面図、および平面図である。
【図２】（Ａ）〜（Ｃ）はこの発明の凸型の突起を施した断熱材固定金物の斜視図、側面図、および平面図である。
【図３】（Ａ）〜（Ｃ）はこの発明の外向きの切起こし爪を施した断熱材固定金物の斜視図、側面図、および平面図である。
【図４】床面での施工例
【符号の説明】
１…断熱材固定金物、２…断熱材３…根太（横架材）、４…構造用合板、５…フローリング、６…金具本体、７…折り曲げ加工線部、８…凸型突起、９…切起し爪、
【図１】
2006257850.tif 000003
【図２】
2006257850.tif 000004
【図３】
2006257850.tif 000005
【図４】
2006257850.tif 000006
(57)【要約】      （修正有）【課題】資材運搬業務が容易でない場所での土留め工事、階段、通路、平坦地確保を低コスト軽作業で出来る様にする土留め擁壁用土嚢ブロックの提供。【解決手段】土嚢袋に骨組みを有させた状態の構造容器とし整然と何列も何段も並べ置く。重ね積むことが出きるようにするとともに並べ置いてから内容物を入れられる構造で、並べ置くだけで自然の力で土等が流入し土嚢状態になる構造容器を用いる。【選択図】図２
2006257847.tif 000002
【特許請求の範囲】
【請求項１】
土嚢袋に骨組みを有させた構造の容器にすることで土嚢の特徴を失わず整然と並べ置く重ね積むことが出きる容器
【請求項２】
並べ置いてから内容物を入れることで従来の土嚢と同様の効果を発揮する容器
【請求項３】
並べて置くだけで自然の力を利用して土嚢状になる上記容器
【発明の詳細な説明】
【技術分野】
【０００１】本発明は、土留め擁壁材  傾斜地の階段材，平坦地確保材に関するする。
【背景技術】
【０００２】従来の土留め用壁はコンクリート造  組石造等である  強固ではあるが経費がかかる上工期が長い【０００３】土嚢を並べ積み重ねる伝統的工法は安価な資材で適切な工法ではあるがかなりの労力を要する上  整然と並べ重ねるのが容易でない。【０００４】記述０００２は山中  傾斜地等  資材運搬が不便な箇所での工事が困難である。【０００５】実願平３−８８１００のように土嚢を多数作り積み重ねる労力を省くための盛り土用型枠においては現場での連結作業  ネット敷き張り作業がかなりあるように思える
【発明が解決しようとする課題】
【０００６】自然の力を利用し土留め工事を低コスト  軽作業で出来る様にする。
【０００７】傾斜地での階段  通路  平坦地の確保を低コスト  軽作業で出来る様にする。
【０００８】資材運搬業務が容易でない場所での土留め工事  階段  通路  平坦地確保を低コスト軽作業で出来る様にする。
【課題を解決するための手段】
【０００９】土嚢に骨組みを有させたような構造容器を発明し土嚢の特性を失わせることなく整然と並べ積み上げることが出来る様にする。図１
【００１０】自然に土等が流れ込んで土嚢状態になるような構造容器にすることで労力を省く
【００１１】並べ置いてから内容物を入れることで土嚢の効力を発揮する構造容器にすることで運搬作業を容易にする
【発明の効果】
【００１２】土留め工事が低コスト  軽作業で出来る為土留めが必要な場所の放置が減少し河川  海への土の流出汚染防止効果が高くなる。
【００１３】傾斜地での階段  通路  平坦地の確保が低コスト  軽作業で出来る為高齢者等の傾斜地での安全な階段  通路  作業場所が容易に確保できる。
【００１４】工事現場等から出る掘削土の一時置き場などで大雨時土の流出が予測される場合  並べ置くだけで道路  側溝等への土の大量流出をふせげる。
【発明を実施するための最良の形態】
【００１５】土嚢袋に骨組みを有させたような構造容器にすることで伝統的な土嚢積み土留め効力を失わず整然と並べ積むことが出来る様にする。図１【００１６】並べ置いてから内容物を入れられるようにする。図１【００１７】並べ置くだけで土が流入するような構造とし自然の力で土嚢状態になるような容器にする  図１
【産業上の利用可能性】
【図面の簡単な説明】
【００１８】図１  発明が解決しようとする土嚢ブロック擁壁
図２  応用図
図３  現況写真【図１】図１、図２
【図１】
2006257847.tif 000003
【図２】
2006257847.tif 000004
【図３】
2006257847.tif 000005
【手続補正書】
【提出日】平成17年7月19日(2005.7.19)
【手続補正２】
【補正対象書類名】明細書
【補正対象項目名】００１８
【補正方法】変更
【補正の内容】
【００１８】
【図１】  パース図、断面図
【図２】  パース図
【図３】  パース図  図１は単品の構造、形状を表現した図  図２は使用方法の説明図  図３は応用の例を示した図
【符号の説明】
１    土を入たり、若しくは土が流入しても変形しない強度で軽量な骨組み
２    土を入たり、若しくは土が流入しても変形しない強度で軽量な粗めの網。取り外しが出きるため【図２】のように重ねられるので保管、運搬の効率がよくなる。
３    滑り止め、段重ねの際の鉄筋、ボルト等を通す穴
４    土を入たり土が流入した場合、従来の土嚢の効力を発揮出来るコマ目のネット
５    ２部材と対になった土流出防止ネット
(57)【要約】【課題】  墓地の敷地が高価になり、墓石の付属品である塔婆立てを据付けるスペースの確保が難しくなっている。石材などで製作された塔婆立ては高価である。塔婆立ては墓石本体の真後ろに据付けることが多く見えづらく、古い塔婆の整理も行き届かなかった。【解決手段】  墓誌の台石を利用し、台石を塔婆立てにすることにより上記のような問題点を解決できた。また墓誌と塔婆立てが一体となったためん墓誌と塔婆を照らし合わせ年忌の予定などをたてることが出来、墓誌の死亡年月日などと照らし合わせ、古くなった塔婆を整理することが出来るようになった。【選択図】  図１。
2006257843.tif 000002
【特許請求の範囲】
【請求項１】
墓誌の台石を加工し、あるいは台石に石材の部材を組み合わせ、塔婆を収納できるような形状に製作した墓誌。
【請求項２】
墓誌の台石に塔婆立ての金具を取り付けた墓誌。
【請求項３】
墓誌の台石に塔婆立ての金具を取り付けた請求項１の墓誌。
【発明の詳細な説明】
【技術分野】
【０００１】  この発明は墓誌の台石を加工し塔婆を収納できるように製作、あるいは墓誌の台石に塔婆立ての金具を取り付けた墓誌に関するものである。
【背景技術】
【０００２】  墓誌は、故人の戒名、死亡年月日、死亡年齢、名前などを彫りこんだ石板を台石の上部に接着あるいははめ込んだものが一般的であった。
塔婆立ては長方形の石材の上部に塔婆立ての金具を取り付けたもの、石材の柱に一本立塔婆立て金具を取り付けたもの、石材をくりぬき塔婆を収納できるようにしたものなどがあるが墓誌と塔婆立て両方の機能を合わせ持ったものはなかった。
【発明の開示】
【発明が解決しようとする課題】
【０００３】  そのため、次のような問題点があった。
（イ）墓地の敷地が高価になり購入できる敷地の面積が小さくなりその結果塔婆立てのスペースを確保することが難しくなってきた。
（ロ）石材などを使用した塔婆立ては高価である。
（ハ）塔婆立ては塔婆を土葬、土まんじゅうの後ろ側に立てた昔の埋葬のなごりなのか墓石本体の真後ろに据付けることが多く見えづらく、古い塔婆の整理も行き届かない例も数多く見受けられる。
【課題を解決するための手段】
【０００４】  戒名などを彫りこむ墓誌の台石を利用し、台石に穴あけ加工をし、塔婆を収められるようにする。台石に穴をあけ、塔婆立ての金具を取り付ける。このように墓誌の台石に塔婆を収納、あるいは台石に塔婆立ての金具を取り付けたことにより、以下のような効果が生まれた。
【発明の効果】
【０００５】  （イ）墓誌の台石を利用し、塔婆立ての機能を持たせたため、塔婆立てのスペースが要らなくなった。
（ロ）墓誌の台石を利用したため、塔婆立ての石材が不要になり、穴あけの加工代、少量の石材の部材と塔婆立ての金具代だけで塔婆立てができた。
（ハ）墓誌と塔婆立てが一体となったため、墓誌と塔婆を照らし合わせ年忌の予定などをたてることが出来るようになった。
（ニ）墓誌の死亡年月日などと照らし合わせ、古くなった塔婆を整理することが出来る。
（ホ）墓誌台石に穴を開けた塔婆立て、あるいは墓誌台石に塔婆立て金具を取り付けた塔婆立ての台石の側面に一本立塔婆立て金具を取り付けると、古い塔婆も収納することが出来る。
（ヘ）墓誌の後ろ側が塔婆立てになったので塔婆が見えやすくなった。
【発明を実施するための最良の形態】
【０００６】  以下、本発明の実施の形態について説明する
（Ａ）墓誌台石（２）を図１，図２，図３，図４，図５のような形状に製作する。
（Ｂ）製作された墓誌台石（２）に塔婆（７）を収納できる塔婆立て用穴（３）をあける。
（Ｃ）墓誌台石（２）に一本立塔婆立て金具（６）を取り付けたとき墓誌基板（１）に金具が当たらないよう一本立塔婆立て金具用溝（５）を彫りこむ。
（Ｄ）一本立塔婆立て金具用穴（４）をあける。
（Ｅ）一本立塔婆立て金具（６）を一本立塔婆立て金具用穴（４）に取り付ける。
（Ｆ）墓誌台石（２）に墓誌基板（１）を接着する。
塔婆立ての金具を取り付けた墓誌については以下のようにする
（イ）墓誌台石（２）を図６のように製作する。
（ロ）墓誌台石（２）に塔婆立て金具用穴（８）をあける。
（ハ）塔婆立て金具用穴（８）に塔婆立て金具（９）を取り付ける。
（ニ）上記の（Ｃ）、（Ｄ）、（Ｅ）、（Ｆ）の工程で製作する。
【図面の簡単な説明】
【０００７】
【図１】本発明の塔婆立てつき墓誌の背面斜視図
【図２】本発明の平面図
【図３】本発明の背面図
【図４】本発明の正面図
【図５】本発明の側面図
【図６】本発明の塔婆立て金具（９）を取り付けたところの背面斜視図
【符号の説明】
【０００８】  １    墓誌基板
２    墓誌台石
３    塔婆立て用穴
４    一本立塔婆立て金具用穴
５    一本立塔婆立て金具用溝
６    一本立塔婆立て金具
７    塔婆
８    塔婆立て金具用穴
９    塔婆立て金具
【図１】
2006257843.tif 000003
【図２】
2006257843.tif 000004
【図３】
2006257843.tif 000005
【図４】
2006257843.tif 000006
【図５】
2006257843.tif 000007
【図６】
2006257843.tif 000008
(57)【要約】      （修正有）【課題】従来のログハウスは、丸太を１本ずつ現場で組み立てていくものであり、危険を伴う現場作業が多く、効率が悪い上に費用も過大にかかっていた。こうしたログハウスの現場作業の簡略化、省力化を図る事。【解決手段】骨組を重量鉄骨とし、ログ材をサンドイッチパネルとしてはめ込むプレファブ化工法とした。さらにログ材であるサンドイッチパネルの間に空気層を閉じ込め断熱効果を向上させた。【選択図】図１
2006257832.tif 000002
【特許請求の範囲】
【請求項１】
骨組みを重量鉄骨にしたことを特徴とするログハウス。
【請求項２】
前記ログハウスは、鉄骨骨組に、半円形の無垢板をサンドイッチパネルにして嵌め込むのを、特徴とする請求項−１記載の建築工法。
【請求項３】
前記サンドイッチパネルは鉄骨枠に組み込み空気層を設けて断熱性能向上させたのを特徴とする請求項−２記載の建築工法。
【発明の詳細な説明】
【技術分野】
【０００１】この発明は、ログハウスのプレファブ化に関する建築工法｛背景技術｝【０００２】従来のログハウスは、丸太を１本ずつ現場で組み立てていくものである。｛発明の開示｝｛発明が解決しようとする課題｝【０００３】しかしながら、従来の工法によれば、危険を伴う現場作業が多く、効率が悪い上に、費用も過大にかかってしまう事である。そこで、この発明は、ログハウスの現場作業を、簡略化、省力化、する事を、課題とする。｛課題を解決するための手段｝【０００４】以上の課題を解決する為に、第一発明は、骨組を重量鉄骨とし、ログ材を、サンドイッチパネルとし、はめ込むのを特徴とするログハウスである。【０００５】第２発明は、サンドイッチパネルの間に、空気層を閉じ込め断熱効果を向上させた事を特徴とするログハウスである。｛発明を実施するための最良の形態｝【０００６】この発明の実施形態を図−１〜図−３に示す。図−１の鉄骨フレームに、壁パネルをはめ込む。同じく図−１及び図−２で示す床パネル及び屋根パネルをはめ込む。【０００７】図−３は壁断熱パネルの詳細納まりを示す。【０００８】｛実施形態の効果｝この実施形態によればほとんどの工程が工場製作が可能となり、現場作業は運搬据付のみとなる。【０００９】｛他の実施形態｝図−１の実施形態では、１棟単体であるが、２棟連棟も可能である。
【図面の簡単な説明】
【図１】この発明の一実施形態を示す斜視図である。
【図２】この発明の一完成型を示す斜視図である。
【図３】断熱パネルを示す断面詳細図である。
【図４】従来技術を示す斜視図である。
【符号の説明】
【００１０】１  梁−鉄骨１００×１５０×６        ２  柱−鉄骨１００×１５０×６３  根太受−鉄骨１００×１５０×６    ４  床パネル  コンパネフラッシュ断熱材充填５  ターンバックルＭ−１６            ６  壁  断熱パネル７  壁  断熱パネル窓付                ８  壁  断熱パネルドア付９  ２階床パネル  コンパネフラッシュ断熱材充填１０  屋根パネルコンパネフラッシュ断熱材充填の上シングル葺き１１  パッキン                        １２  半円形ログピーリング１３  内部壁化粧ピーリング            １４  アングル４０×４０×３１５  ログ丸太
【図１】
2006257832.tif 000003
【図２】
2006257832.tif 000004
【図３】
2006257832.tif 000005
【図４】
2006257832.tif 000006
(57)【要約】【課題】電磁波を利用した高炉内原料レベル測定装置の校正を、高炉に装着したたまの状態で簡単に実施できるようにすること。【解決手段】電磁波を発振部１から伝播管２を通して高炉Ｂ内に放射し、高炉内原料Ｃ上面からの反射波を受信することによって発振部１から高炉内原料Ｃ上面までの距離を測定する高炉内原料レベル測定装置Ａにおいて、伝播管２から高炉Ｂの途中の箇所であって、発振部１から測定不能距離Ｌ以上離れた位置に校正用反射板３ａを挿入・退避可能な機構を設ける。通常のレベル測定時には校正用反射板３ａを退避させておき、校正時に校正用反射板３ａを伝播管２から高炉Ｂの途中の箇所に挿入させて校正処理を行う。校正用反射板３ａとしては、スライド式ゲート弁３のゲート板を用いる。スライド式ゲート弁３の開閉操作は遠隔操作で行う。【選択図】図１
2006257457.tif 000002
【特許請求の範囲】
【請求項１】
電磁波を発振部から伝播管を通して高炉内に放射し、高炉内原料上面からの反射波を受信することによって発振部から高炉内原料上面までの距離を測定する高炉内原料レベル測定装置において、伝播管から高炉の途中の箇所であって、発振部から測定不能距離以上離れた位置に校正用反射板を挿入・退避可能な機構を設けたことを特徴とする高炉内原料レベル測定装置。
【請求項２】
校正用反射板として、スライド式ゲート弁のゲート板を用いた請求項１に記載の高炉内原料レベル測定装置。
【請求項３】
スライド式ゲート弁の開閉操作を遠隔操作で行うようにした請求項２に記載の高炉内原料レベル測定装置。
【発明の詳細な説明】
【技術分野】
【０００１】
本発明は、電磁波を利用して高炉内の原料レベルを測定する高炉内原料レベル測定装置に関するものである。
【背景技術】
【０００２】
超音波、Ｘ線、マイクロ波といった電磁波を利用して距離や物体の厚さを測定する技術は従来周知であり（例えば特許文献１、２参照）、高炉においてもマイクロ波を利用した高炉内原料レベル測定装置が実用化されている。
【０００３】
この高炉内原料レベル測定装置は、マイクロ波を発振部から高炉内に放射し、高炉内原料上面からの反射波を受信することによって発振部から高炉内原料上面までの距離を測定するものである。この高炉内原料レベル測定装置は、マイクロ波を利用しているため非接触での測定が可能であり、炉内粉塵等の影響も受けないため耐環境性にも優れているという利点がある。
【０００４】
ただし、この高炉内原料レベル測定装置においては、測定結果の妥当性を判断するために定期的な校正が必要であり、従来は、測定装置本体を取り外し、別の場所で校正用反射板にマイクロ波を放射して実測の距離に基づき校正していた。
【０００５】
しかし、このような従来の校正方法では、３００〜４００ｋｇもある測定装置本体を取り外し、これを校正用の場所に移動するために吊り上げ、吊り下げを行うといった大掛かりな作業が必要であった。またこの校正作業には時間が掛かるために、高炉内原料レベルを継続的に監視したい操業中での実施は困難であり、休風中に実施しなければならないという制約があった。
【特許文献１】特開平５−２７２９５６号公報
【特許文献２】特開２００４−３０１７９３号公報
【発明の開示】
【発明が解決しようとする課題】
【０００６】
本発明が解決しようとする課題は、電磁波を利用した高炉内原料レベル測定装置の校正を、高炉に装着したたままの状態で簡単に実施できるようにすることにある。
【課題を解決するための手段】
【０００７】
本発明は、電磁波を発振部から伝播管を通して高炉内に放射し、高炉内原料上面からの反射波を受信することによって発振部から高炉内原料上面までの距離を測定する高炉内原料レベル測定装置において、伝播管から高炉の途中の箇所であって、発振部から測定不能距離以上離れた位置に校正用反射板を挿入・退避可能な機構を設けたことを特徴とする。
【０００８】
すなわち、本発明の高炉内原料レベル測定装置では、通常のレベル測定時には校正用反射板を退避させておき、校正時に校正用反射板を伝播管から高炉の途中の箇所に挿入させて校正処理を行う。
【０００９】
校正用反射板としては、スライド式ゲート弁のゲート板を用いることができる。スライド式ゲート弁の開閉操作は遠隔操作で行うようにすることもできる。
【発明の効果】
【００１０】
本発明によれば、伝播管から高炉の途中の箇所に校正用反射板を挿入・退避可能な機構を設けたので、高炉に装着したたままの状態で高炉の操業中に任意の時に校正を行うことができる。また、校正作業にあたっては、校正用反射板を伝播管から高炉の途中の箇所に挿入・退避させるという簡単な操作を行うだけで済むので、従来のように大掛かりな作業を伴うことなく極めて簡単に校正を行うことができる。したがって、校正のための要員の作業負荷を軽減できると共に、要員数も削減できる。
【発明を実施するための最良の形態】
【００１１】
以下、添付図に示す実施例に基づき本発明の実施の形態を説明する。
【００１２】
図１は、本発明の高炉内原料レベル測定装置の装着状態を示す縦断面図である。図１において、本発明の高炉内原料レベル測定装置Ａは高炉Ｂの頂部近傍に装着されている。高炉内原料レベル測定装置Ａはマイクロ波を放射する発振部１と、発振部１と高炉Ｂ内とを連通してマイクロ波の伝播経路となる伝播管２を備える。
【００１３】
伝播管２と高炉Ｂの途中の箇所にはスライド式ゲート弁３が設けられ、そのゲート板３ａが校正用反射板として挿入・退避可能な機構が設けられている。発振部１からゲート板３ａまでの距離は、高炉内原料レベル測定装置Ａの測定不能距離（不感帯）以上の距離Ｌ（例えば３ｍ）とする。また、スライド式ゲート弁３の開閉操作は、操作制御盤４からの遠隔操作によって行うことができるようにしている。
【００１４】
以上の構成において、通常のレベル測定時には、ゲート板３ａを退避させておき、マイクロ波を発振部１から伝播管２を通して高炉Ｂ内に放射し、高炉内原料Ｃ上面からの反射波を受信することによって発振部１から高炉内原料Ｃ上面までの距離を測定する。
【００１５】
校正時には、ゲート板３ａを伝播管２内に挿入させ、ゲート板３ａからの反射波を受信する。そして、発振部１からゲート板３ａまでの距離の実測値に基づき校正処理を行う。
【００１６】
以上のように、本発明によれば、高炉に装着したたままの状態で高炉の操業中に任意の時に校正を行うことができる。
【図面の簡単な説明】
【００１７】
【図１】本発明の高炉内原料レベル測定装置の装着状態を示す縦断面図である。
【符号の説明】
【００１８】
Ａ  本発明の高炉内原料レベル測定装置
Ｂ  高炉
Ｃ  高炉内原料
１  発振部
２  伝播管
３  スライド式ゲート弁
３ａ  ゲート板
４  操作制御盤
【図１】
2006257457.tif 000003
(57)【要約】【課題】  水着になるための着替え着が、携帯でき、人前や場所を問わず、水着に着替える事が出来、使用後はスカートとして又ワンピースとして多目的に使用できる事を課題とした。【解決手段】  ２枚の用布を合わせ、上端部の用布周りに沿って、両脇から紐を通すための挿通部を設ける。挿通部に通した紐の先端部を合わせて、通孔部のある小物を１個ないし２個を挿通する。その小物を左右に引っ張ることにより 、左右から係止でき、上下に移動して、ウエストや胴回りに合わせて、バランス良く保つ事ができるようにする。その下部の両脇に手を通すためのスリットを設けた、水着になるための着替え着である。裾にスリット７（Ｂ）を設けると裾幅に融通が利き、動きやすい。【選択図】          図１
2006257559.tif 000002
【特許請求の範囲】
【請求項１】
二枚の用布を合わせ、上端部の用布周りに沿って両脇から紐を通すために、挿通部を設け、通した紐の先端部を合わせて、通孔部のある小物を１個ないし２個挿通し、両脇に手を通すためのスリットを設けた水着になるための着替え着。
【発明の詳細な説明】
【技術分野】
【０００１】
本発明は水着に着替える時、ロッカー等を利用せず、携帯でき、人前や場所を問わず即座に、水着に着替えが出来るようにした水着になるための着替え着で、着替え着を上下に動かす事により、着替え着の中で、下着や洋服を脱ぎ、水着に着替える事が出来、使用後はスカートやワンピースとしても利用できる、水着になるための着替え着に関するものである。
【背景技術】
【０００２】
従来、ロッカーを利用できない海岸や、ロッカーがあっても着替える人が多くて順番が待てないとき、携帯用のもので水着に着替える時は、携帯用のロッカー風の物や、円筒形の水着の着替え着等があるが、嵩高いものが多く、人前で着替えるには恥ずかしく、格好が良くないものだった。使用後も着替える時のみに使用するものであり、他に利用する事があまり出来なかった。
【０００３】
【特許文献１】特開２０００−１１０００９
【特許文献２】実開０５−０８５８０８
【発明の開示】
【発明が解決しようとする課題】
【０００４】
水着になるための着替え着が携帯でき、場所を問わず何処でも、人前でも手軽に洋服から水着に着替える事が出来、使用後はスカートやワンピースとして、又敷物として利用出来る事を課題とした。
【課題を解決するための手段】
【０００５】
本発明はこの様な従来の構成が有していた問題を解決しようとするものであり、二枚の用布を合わせ、上端部の用布周りに沿って、両脇から紐を通すための挿通部を設け、挿通部に通した紐の先端部を合わせて、通孔部のある小物を１個ないし２個挿通する。
【０００６】
両脇の小物を、それぞれ左右に引っ張って、ウエストや胴回りに合わせて両方から紐を係止する事が出来、左右からの係止なので、バランスが良く保たれるようになる。
【０００７】
その下部に設けた両脇のスリットに手を通し、その中で水着に着替える。水着の上部は、上端部の紐を緩めて上に持ち上げ、着替え着の中で、水着を上まで持ち上げて着替える。
【発明の効果】
【０００８】
携帯用の水着になるための着替着で、水着に着替えるとき、ロッカー等を利用せず、海辺でも人前でも狭い場所でも短時間に水着に着替えることができる。
【０００９】
着替え着の上端部の用布周りに沿って設けた挿通部に、両脇から挿通した紐を、通孔部のある小物を１ないし２個に通して、その小物をそれぞれ左右に引っ張るだけで、ウエストや胴回りに合わせて紐を係止する事が出来、左右からの係止なので、バランス良く保たれる。その下部に設けたスリットに手を入れ、着替え着の中で下着やスカートを脱ぎ、水着に着替える事が出来るようにしたので、手が自由に使えロングスカート丈なので、人目を気にすることをなくした。
【００１０】
その後紐を緩めて、着替え着を上に持ち上げて手を中に入れ、それぞれの小物を左右に引っ張って、肩の位置で係止し、その中で上着を脱ぎ、水着も持ち上げて水着に着替える。
【００１１】
その後は、水着の上から、ロングスカートとしてや、ワンピースとして着用する事もできる。使用しない時は紐を伸ばして敷物としてや、体拭きとして他方面への利用が可能である。
【発明を実施するための最良の形態】
【００１２】
本発明の実施の形態を、実施例にもとづき図面を参照して説明する。図１には、本発明の着替え着の正面図を示し、本実施例では、ロングスカート丈位の二枚の用布１を合わせ、上端部の用布周り２に沿って両脇から紐４を通すための挿通部３をもうける。その下部に手を通すためのスリット６（Ａ）を設ける。
【００１３】
図２は使用時の正面図により示している。両脇から、それぞれの挿通部３に通した紐４の先端部を合わせ、通孔部のある小物５を１個ないし２個に挿通する。両脇のそれぞれの紐４を通した通孔部のある小物５を、左右に引っ張るだけで、ウエストや胴回りに合わせて紐４を係止する事が出来、左右からの係止が出来るので、バランス良く保たれる。通孔部のある小物５は、両脇に１個づつでも良く、１個挿通した場合は、小物５の先の紐を結んでその結び目と小物５を左右に引っ張っても、同じ効果を出す事が出来る。
【００１４】
図３は、その下部に設けたスリット６（Ａ）に手を通して、着替え着の中で下着やスカートを脱ぎ、水着に着替える事が出来る。
【００１５】
図４は、その後紐を緩めて、着替え着を肩の上迄持ち上げて、それぞれの小物５を左右に引っ張って、肩の上の位置で係止し、手を中に入れその中で上着を脱ぎ、水着も持ち上げて水着に着替える。
【００１６】
着替え着の両裾には、スリット７（Ｂ）を設けると裾幅の融通が利き、着替えがやりやすくなる。着替えが済んだ後は、図５のように、ロングスカートや、ワンピースとしても着用でき、使用しない時は紐４伸ばして敷物としても利用でき、バスタオルで作った場合は、バスタオルとしても使用出来る。携帯にも綺麗に折り畳め、小さくなるので場所をとらず、持ち運びも便利である。
【００１７】
素材は、バスタオルでもよく、又は吸湿性もあり、肌さわりのよい軽くて持ち運びのよいものがよく、大胆なデザインで、部屋着としても使用できるものが望ましい。
【図面の簡単な説明】
【００１８】
【図１】着替え着の正面図
【図２】着替え着の使用時の正面図
【図３】スリットより手を通して着替えている正面図
【図４】着替え着を上に持ち上げて、着替え着の中で水着になっている透視の正面図
【図５】スカートやワンピースとして着用している使用時の正面図
【符号の説明】
【００１９】
１    用布
２    用布の回り
３    挿通部
４    紐
５    通孔部のある小物
６    スリットＡ
７    スリットＢ
【図１】
2006257559.tif 000003
【図２】
2006257559.tif 000004
【図３】
2006257559.tif 000005
【図４】
2006257559.tif 000006
【図５】
2006257559.tif 000007